(57)【要約】      （修正有） 【課題】エプロン等の前掛けを容易に着用可能とし、かつ、着用時に不快感を与えたり怪我をさせるおそれのない長さ調節機構を有する留め紐を備えた前掛けを得る。【解決手段】一端がエプロン等の前掛けの一側に固着された留め紐に、留め紐の長さを調節する長さ調節機構を備えた固定手段５が摺動可能に取り付けられ、前掛けの他側には固定手段５の受け部が備えられ、固定手段５を固定手段受け部に着脱可能に固定させた前掛けとして構成されている。【選択図】図２
0003138381.tif 000002
【実用新案登録請求の範囲】
【請求項１】
一端がエプロン等の前掛けの一側に固着された留め紐に、前記留め紐の長さを調節する長さ調節機構を備えた固定手段が摺動可能に取り付けられ、
前記前掛けの他側には前記固定手段の受け部が備えられ、
前記固定手段を前記固定手段受け部に着脱可能に固定させるものとした、
前掛け。
【請求項２】
留め紐は、一端がエプロン等の前掛けの胸元部一側に固着された首紐及び／又は一端がエプロン等の前掛けの胴体部一側に固着された腰紐とした、請求項１記載の前掛け。
【請求項３】
固定手段には把持部を備えた、請求項１又は２記載の前掛け。
【考案の詳細な説明】
【技術分野】
【０００１】
この考案は、エプロンなどの前掛けに関するものである。
【背景技術】
【０００２】
従来のエプロンなどの前掛けにおける首紐や腰紐などの留め紐は、前掛けの左右胸元部や胴体部左右側縁にそれぞれその一端が固着された２本の紐を一組としてなり、この２本の紐を首あるいは背中の後方で結って前掛けを着用するもの、あるいは、１本の所定長さの首紐の両端を前掛けの左右胸元部に固着し、この首紐と前掛けとの間に形成されたスペースに首を通して着用するものが一般的であった。
【０００３】
しかしながら、２本の紐を自ら視認することができない首や背中の後方で後ろ手に結って着用することは、紐を結うことが苦手な者にとっては難しいばかりか、適切に結ばれていないと解けてしまうこともある。特に、紐を結うことに不慣れな子供などにとっては極めて困難な作業である。子供の代わりに大人が結う場合でも、子供がじっとしていなければ紐を結うことは難しい。また、着用時に形成される結び目が着用者の首や背中に触れて不快感を与えることもある。
一方、１本の首紐の両端を前掛けの左右胸元部に固着させ、この首紐と前掛けとの間に形成されたスペースに首を通して着用する場合には、紐を結うという作業は不要であるが、首紐と前掛けとの間に形成された狭いスペースに頭を通さなければならず、窮屈さを嫌がる子供には着用させにくい。また、首紐の長さ調整ができないという問題もあった。
【０００４】
かかる問題を解決するものとして、例えば、特開２００３−５５８１６号公報に記載された発明が提案されている。
この発明は、１本の首紐の両端にそれぞれクリップを取り付けるとともに、首紐の中間に長さ調節器具を備えたエプロンである。かかる構成によって、エプロンを着用する際には、首紐をエプロン本体から分離し、所望の位置にエプロン本体をあてがった状態でクリップで首紐を留めればよく、紐を結わく必要がない。また、首紐とエプロン本体とは着脱が可能であるから狭いスペースに頭を通す必要もない。そして、長さ調節器具によって、着用時の首紐の長さを調節することもできる。
しかしながら、首紐を完全にエプロン本体から分離してしまうことから、着用時には片手で分離されたエプロン本体を押さえつつクリップを留めなければならず、着用作業が面倒である。また、バランスよくエプロンを着用しようとしても、クリップ留めの位置が直ちに確定できず、クリップ留めの位置決めが困難である。さらには、未使用時などに首紐のみが紛失してしまうおそれもある。
そして、長さ調節器具が首紐の中間に位置していることから、この長さ調節器具が着用者の首に接触して着用時に不快感を与えるばかりでなく、首に損傷を与えるおそれもある。
【特許文献１】特開２００３−５５８１６号公報
【考案の開示】
【考案が解決しようとする課題】
【０００５】
この考案は、エプロン等の前掛けを容易に着用可能とし、かつ、着用時に不快感を与えたり怪我をさせるおそれのない長さ調節機構を有する留め紐を備えた前掛けを得ることを課題とするものである。
【課題を解決するための手段】
【０００６】
この考案は、一端がエプロン等の前掛けの一側に固着された留め紐に、前記留め紐の長さを調節する長さ調節機構を備えた固定手段が摺動可能に取り付けられ、前記前掛けの他側には前記固定手段の受け部が備えられ、前記固定手段を前記固定手段受け部に着脱可能に固定させた前掛けとして構成されている。
この考案において、「前掛け」とは、エプロン、よだれかけ等、身体の前方を覆うものであって、留め紐を用いて着用するものをいう。
また、「留め紐」とは、前記前掛けを着用する際に使用されるものであって、首紐や肩紐あるいは腰紐をいう。
長さ調節機構は、着用時における留め紐の長さを調節するための機構であり、固定手段と一体化されて設けられている。
固定手段は、前記留め紐の開放側を、前記前掛けの他側に着脱可能に固定させるためのものであって、面ファスナーやスナップなどを用いることが考えられる。
【０００７】
請求項２の考案は、留め紐は、一端がエプロン等の前掛けの胸元部一側に固着された首紐及び一端がエプロン等の前掛けの胴体部一側に固着された腰紐として、あるいは前記首紐又は前記腰紐の何れか一方として構成されたことを特徴とする。
【０００８】
固定手段には把持部を備えるものとすることが好ましい（請求項３）。把持部は、首紐や腰紐などの留め紐を前掛け胸元部や胴体側部に着脱する際に摘むことができるものであればよく、例えばフェルト素材で円形のワッペン状に形成することが考えられるが、その材質、形状はこれに限定されるものではない。
【考案の効果】
【０００９】
この考案は、一端がエプロン等の前掛けの一側に固着された留め紐に、前記留め紐の長さを調節する長さ調節機構を備えた固定手段が摺動可能に取り付けられ、前記前掛けの他側には前記固定手段の受け部が備えられ、前記固定手段を前記固定手段受け部に着脱可能に固定させてあるので、前掛け着用の際には留め紐に取り付けられた固定手段のみを前掛けの他側に取り付けられた受け部に固定すればよく、容易に前掛けを着用することができる。
また、前記固定手段には、前記前掛け着用時における前記留め紐の長さを調節するための長さ調節機構が設けられているので、前掛け着用時に長さ調節機構は必ず留め紐と前掛けとの固定位置、すなわち前掛けの留め紐が固着された側の他側に位置することとなり、着用時に着用者の身体に触れることがないから、着用者に不快感を与えたり怪我をさせたりするおそれがない。
【００１０】
固定手段には把持部を設けたので固定手段が持ちやすくなり、固定手段の前掛け胸元部への着脱が一層容易となるから、小さな子供でも簡単に前掛けを着用することができる。
また、この把持部の表側に図柄を描いておけば、アイキャッチャーとしても利用することができ、名前を記載することで名札として使用することもできる。
【考案を実施するための最良の形態】
【００１１】
図１は、この考案の第１の実施例を示す図である。所定長さを有する首紐１及び腰紐２のそれぞれの一端がエプロン本体の胸元部一側と胴体部一側とに固着されている。また、エプロン本体の胸元部他側及び胴体部他側にはそれぞれ受け部となる面ファスナー３，４が取り付けられている（図２参照）。
首紐１及び腰紐２の他端にはそれぞれ固定手段５が取り付けられ、この固定手段５は面ファスナー６，受け部となる面ファスナー３，４を介してエプロン本体の胸元部他側及び胴体部他側に着脱可能に固定されている。
【００１２】
以下に説明する固定手段５の構成は、首紐１を通した状態を例にして説明するが、腰紐２を通した状態における固定手段５の構成も、特筆する事項以外は、これと同様である（首紐１が腰紐２に相当）。
図３は、首紐１を通した状態における固定手段５の裏側の拡大図である。固定手段５は、フェルト素材で構成された把持部７、この把持部７の裏側に取り付けられた長さ調節機構８、この長さ調節機構８の上面に取り付けられた面ファスナー６とで構成されている。
この実施例において、把持部７は円形のワッペン状に形成されているが、動物等の意匠を施した形状とすれば、子供用のエプロンとしてはなお好ましい。
また、この実施例においては、把持部７の形状は首紐１に取り付けられるものと腰紐２に取り付けられるものとで同じ形状としてあるが、把持部７の形状は、首紐１に取り付けるものを前記の通り円形のワッペン状とし、腰紐２に取り付けるものを四角形のワッペン状とする等、首紐用と腰紐用とで異なる形状とすることもできる。把持部７の形状を首紐用と腰紐用とで異なる形状とすれば、着用する際に首紐と腰紐とを区別する目印とすることができる。
また、面ファスナー６の代わりにスナップを用いてもよい。面ファスナー６の代わりにスナップを用いた場合には、エプロン側に取り付けられている受け部となる面ファスナー３，４の代わりに、このスナップに嵌合可能なスナップをそれぞれ取り付けておく。
【００１３】
エプロンを着用する際には、図２に示すように固定手段５を外した状態のエプロンを着用者にあてがい、首紐１を着用者の首から回して固定手段５をエプロン胸元部他側の受け部となる面ファスナー３に固定させる。また、同様に腰紐２を着用者の背中を回して固定手段５をエプロン胴体部他側の面ファスナー受け部４に固定させる。このとき、把持部７を摘んで固定手段５をエプロン胸元及び胴体部へ着脱することができるので、一層容易に着脱作業をすることができる。
したがって、首紐や腰紐などの留め紐を後ろ手に結わいたり、留め紐の２箇所をエプロンにクリップ留めしたり、首紐とエプロンとの間に形成された狭い空間に頭を通さなければならいといった面倒な作業が必要なく、誰でも容易に前掛けを着用することができる。
そして、首紐１及び腰紐２の一端はエプロンに固着されているので、着用時に固定位置を位置決めする必要がなく、また、紛失するおそれもない。
【００１４】
図４は首紐１を通した状態における固定手段５の側面拡大断面図、図５は首紐を通さない状態における固定手段５の平面拡大断面図である。
長さ調節機構８は、綿素材からなる２枚の帯状片８１，８２を上下に重ねつつ、その両端部を把持部７に縫合して構成されている。下側帯状片８２と把持部７との間、及び下側帯状片８２と上側帯状片８１との間には、それぞれ首紐１を通すための間隙９，１０が設けられている。この間隙９，１０の幅は首紐１の幅よりやや広く形成されており、また、この間隙９，１０の高さ（厚さ）は留め紐の厚さとほぼ同じ厚さで形成され、首紐１を通したときに首紐１との間に適度な抵抗が生じ、簡単に固定手段５が首紐１から抜け落ちないようにしてある。
【００１５】
固定手段５は、長さ調節機構８を介して首紐１に取り付けられている。すなわち、首紐１は、下側帯状片８２と把持部７との間の間隙９を通して上方に折り返され、上側帯状片８１と下側帯状片８２との間の間隙１０に通され、その先端が間隙１０から突出している。このとき、首紐１と帯状片８１，８２との間には適度の抵抗が生じているため、固定手段５が首紐１から抜け落ちることはない。
首紐１の着用時の長さを調節する場合、その長さを短くしたいときには首紐１の先端側部分を図４中矢示Ａ方向に強く引いて調節すればよいし、長くしたいときには首紐１の反対側、すなわちエプロンと固着されている側部分を図４中矢示Ｂ方向に強く引いて調節すればよい。
【００１６】
上側帯状片８１の上面（固定部）には面ファスナー６が設けられており、エプロン着用時にはこの面ファスナー６をエプロン側に設けられた受け部となる面ファスナー３，４に固定させてエプロンと首紐１及び腰紐２とを連結させる。
したがって、固定手段５は長さ調節機構８と一体的に構成されているので、エプロン着用時、長さ調節機構８は必ず首紐１及び腰紐２とエプロンとの固定位置、すなわちエプロンの胸元部及び胴体側部に位置することとなり、着用時に長さ調節機構８が着用者の首や胴体に触れることはなく、着用者に不快感を与えることがない。
【００１７】
加えて、固定手段５の固定部には面ファスナー６が用いられ、長さ調節機構８は綿素材で構成されているので、固定手段５には堅い凹凸が一切存在せず、着用者が転倒した際などに誤って着用者に怪我をさせるおそれもない。
【００１８】
第１の実施例においては、留め紐として首紐１及び腰紐２の両方を備えるものとしたが、何れか一方のみを備えたエプロンとしてもよい（図６参照）。
【産業上の利用可能性】
【００１９】
この考案は、着用が容易であって、しかも、長さ調整可能かつ着用時に不快感を与えることのない首紐を備えたエプロン等の前掛けに関するものであって、産業上の利用可能性を有するものである。
【図面の簡単な説明】
【００２０】
【図１】この考案の実施例を示す図
【図２】同じく固定手段によるエプロンとの固定を解除した状態を示す図
【図３】同じく首紐を通した状態の固定手段の背面側拡大図
【図４】同じく首紐を通した状態の固定手段の側面拡大断面図
【図５】同じく首紐を通さない状態の固定手段の平面拡大断面図
【図６】この考案の第２の実施例を示す図
【符号の説明】
【００２１】
１  首紐
２  腰紐
３，４  受け部となる面ファスナー
５  固定手段
６  面ファスナー  
７  把持部
８  長さ調節機構
９，１０  間隙
【図１】
0003138381.tif 000003
【図２】
0003138381.tif 000004
【図３】
0003138381.tif 000005
【図４】
0003138381.tif 000006
【図５】
0003138381.tif 000007
【図６】
0003138381.tif 000008